(57)【要約】【課題】帯枕部を袋状に形成することで財布等の貴重品を収納するようにした三部式帯を提供する。【解決手段】本考案に係る三部式帯１は、巻帯部１２と帯揚げ袋部２とお太鼓部３から構成されるものである。身体の胴部に巻帯部１２を巻回し両端部に縫着された面ファスナーによって強めに締めつける。次に、帯揚げ袋部２の帯揚げ部４の一方端からお太鼓部３に挿通し袋状に形成され財布などの貴重品が収納できる帯枕部５がお太鼓部３に隠れる位置で収備するものとする。この際、帯枕部５の位置合わせ面ファスナーとお太鼓部３の位置合わせ面ファスナーを係着させるようにする。【選択図】図７
0003190680.tif 000002
【実用新案登録請求の範囲】
【請求項１】
着物を胴部に固定すると共に略ベルト状の両端部に止着手段が設けられた巻帯部と、財布等の貴重品を収納するために一箇所又は複数箇所に収納部が設けられ袋状に形成された帯枕部と当該帯枕部を帯揚げ部の長手方向中央部に縫着した帯揚げ袋部と、当該帯揚げ袋部の上記帯枕部を内部に収備するお太鼓部より成ることを特徴とする、三部式帯。
【請求項２】
巻帯部における両端部の一方端部の表面側又は裏面側にフックを備えたオス面の面ファスナーが縫着されていると共に他方端部の裏面側又は表面側にループを備えたメス面の面ファスナーが縫着されていることを特徴とする請求項１に記載の三部式帯。
【請求項３】
帯揚げ袋部の帯枕部がお太鼓部に収備された際の当該帯枕部とお太鼓部が当接する相互箇所の少なくとも一箇所以上に、フックを備えたオス面の面ファスナーが縫着されていると共に他方にループを備えたメス面の面ファスナーが縫着されていることを特徴とする請求項１に記載の三部式帯。
【考案の詳細な説明】
【技術分野】
【０００１】
本考案は、和装用の帯に関するものであり、詳しくは、装着を簡易化すると共に財布などの貴重品を収納できるようにした帯に係るものである。
【背景技術】
【０００２】
日本の伝統的文化が新たに注目を浴び、従来はもっぱら洋装であった各種のレセプション等の会場でも和服姿の女性が見受けられるようになった。ここで、和服を着用する際の使用される帯は、一本の長い帯の一部を二つ折りにして胴部に巻き付け、体の背面で強く結び余りの部分でお太鼓等の帯飾りを形成するものであり、手間がかかるばかりではなく帯飾りを形成することが難しく、一般的に自分一人で帯を結ぶことは困難と言っても過言ではない。このため、胴部に巻き付ける巻帯と帯飾り部を分割した二部式帯が種々案出されている。
【０００３】
例えば、特開平１０−３７０１７号の発明に係る二部式帯においては、単に装着の簡素化を図るものであった二部式帯に対して装着後の美しい着付けを付加するために、樹脂の板状部材で略逆Ｌ字状に形成された帯枕位置決め部材が採用され、体への装着を容易にするばかりではなく、その後の帯枕による形状を整える段階においても、上記帯枕位置決め部材により帯枕を適正な位置に配置して、美しい仕上がりが得られるものとしている。
【０００４】
更に、特開２００９−７４１９０号の発明に係る二部式帯においては、従来の二部式帯は太鼓結びの位置が先に着物に締め付けた帯本体の位置に左右され、また着物に締め付けた帯本体にぶら下げる太鼓結びの姿勢が崩れやすかった。帯本体に太鼓結びを引っ掛ける二部式帯は、着物を容易に着脱できるようにする点では有効であるが、前記のような太鼓結びの位置及び姿勢に問題があったという従来の課題を解決し、見栄えのよい二部式帯を提供するために、着物に対して着脱自在にした太鼓結びと、当該太鼓結びに通して着物に締め付ける帯本体とからなる二部式帯であり、太鼓結びには太鼓結び取付面を取り付けてあり、着物受け面を剥離容易な接着面により着物に貼り付け、また帯揚げ及び帯締めのいずれか一方又は両方を着脱自在に取り付ける構造にしたものであった。以上の構造によって、太鼓結びの姿勢を整えて見栄えをよくし、しかも見栄えのよい姿勢を維持しやすいという効果を有するとしている。
【０００５】
一方、前述のようなレセプション等の会場における和服姿では、財布等の貴重品は巾着袋等に収納し片手で持ち歩く場合が多く見受けられるが、立食パーティー等のように多くの人々と会話を行うために移動を繰り返しながらも、もう片方の手に飲み物のグラスや飲料の瓶を持ち歩く場合には両手がふさがった状態であって、何かと不便である。
【先行技術文献】
【特許文献】
【０００６】
【特許文献１】特開平１０−３７０１７号公報
【特許文献２】特開２００９−７４１９０号公報
【考案の概要】
【考案が解決しようとする課題】
【０００７】
本考案者は、自身の各種レセプション等の会場における経験等から上記不便を解消すべく種々研究の末に本考案に到達したものであり、帯枕部を一箇所又は複数箇所に開閉手段が設けられた袋状に形成することで財布等の貴重品を収納するようにした新規な三部式帯を提供することを目的とする。
【課題を解決するための手段】
【０００８】
上記目的を達成するため、本考案に係る三部式帯は、着物を胴部に固定すると共に略ベルト状の両端部に止着手段が設けられた巻帯部と、財布等の貴重品を収納するために一箇所又は複数箇所に収納部が設けられ袋状に形成された帯枕部と当該帯枕部を帯揚げ部の長手方向中央部に縫着した帯揚げ袋部と、当該帯揚げ袋部の上記帯枕部を内部に収備するお太鼓部より成ることを要旨とするものである。
【０００９】
ここで、上記袋状に形成された帯枕部の内部内側にはクッション材が接着されていることが好ましく、当該帯枕部に財布等の貴重品を収納した場合であってもふっくらした枕形状が保持でき、上記お太鼓部に収備した後も見栄えの良い帯姿を造形することができる。
【００１０】
また、上記巻帯部における略ベルト状の両端部の止着手段としては、両端部の一方端部の表面側又は裏面側にフックを備えたオス面の面ファスナーを縫着すると共に他方端部の裏面側又は表面側にループを備えたメス面の面ファスナーを縫着することができる。
【００１１】
更に、帯揚げ袋部の帯枕部がお太鼓部に収備された際の当該帯枕部とお太鼓部が当接する相互箇所の少なくとも一箇所以上に、当該お太鼓部内の上記帯枕部のズレを防止するために止着手段を設けることもでき、当該帯枕部とお太鼓部が当接する相互箇所の一方にフックを備えたオス面の面ファスナーが縫着すると共に他方にループを備えたメス面の面ファスナーを縫着するようにする。
【００１２】
次に、本考案に係る三部式帯による着付けの概要に触れると、先ず、予め財布等の貴重品は上記袋状の帯枕部内に収納されているものとする。ここで、当該帯枕部における袋の開閉手段としてはファスナーとすることができると共に、当該袋の一部を二重構造にして複数のポケットを形成しても良い。次に着付けの概要はとしては、着物を羽織った後に身体の胴部の適宜高さ位置に上記巻帯部を巻回し面ファスナー等の止着手段によって固定するものとする。続いて、上記帯枕部が帯揚げ部の長手方向中央部に縫着されている帯揚げ袋部の当該帯揚げ部の一方端から略筒状に縫着されて形成されている上記お太鼓部に挿通し上記帯枕部が当該お太鼓部に隠れる位置で収備するものとする。なお、帯締めについても上記お太鼓部に挿通しておくものとする。更に続いて、この状態のままで身体の背面側に上記お太鼓部を当接したままに、帯締めを腹部側にたぐり寄せて上記巻帯部の略中央位置に結びつけるものとする。更にまた、上記帯揚げ部の両端も腹部側にたぐり寄せて上記巻帯部の上方位置で結びつけ、その結び部については巻帯部の内側に隠し入れるものとする。
【考案の効果】
【００１３】
本考案に係る三部式帯は、前述の構成から成り袋状に形成された帯枕部内に財布等の貴重品を収納することができるので、従来のように巾着袋を片手に持つ煩わしさから解放され、両手を自由に使用することができるという効果がある。
【００１４】
続いて、本考案に係る三部式帯は、帯枕部に財布等の貴重品を収納した場合であってもふっくらした枕形状が保持でき、上記お太鼓部に収備した後も見栄えの良い帯姿を造形することができるという効果もある。
【考案を実施するための最良の形態】
【００１５】
次に、本考案に係る三部式帯を実施するための最良の形態について説明するものとする。図１乃至図７は本考案の実施の形態例を示すもので、本考案に係る三部式帯１は、巻帯部１２と帯揚げ袋部２とお太鼓部３から構成されるものである。
【実施例１】
【００１６】
先ず、図１は本考案に係る巻帯部の平面図、図２は本考案に係る巻帯部の正面図である。図示のように巻帯部１２は着物を羽織った後に胴部の適宜高さ位置に巻回して整えるものであり、巻帯部１２は略ベルト状に形成されると共に長手方向の両端部の一方端部の表面側にはフックを備えたオス面の面ファスナー１５が縫着されている一方、他方端部の裏面側にはループを備えたメス面の面ファスナー１６が縫着されている。
【００１７】
続いて、図３は本考案に係る帯揚げ袋部の正面図、図４は本考案に係る帯揚げ袋部の背面図である。図示のように、帯揚げ袋部２は帯揚げ部４及び帯枕部５から構成されている。ここで、図３及び図４のように、帯枕部５は帯揚げ部４の長手方向中央部に縫着され一体的なものとなっている。また、図３のように帯枕部５の正面側にはファスナー８が縫着されており帯枕部５は袋状に形成され財布等の貴重品を当該袋内に収納することができる。更に、同じく図３に図示のように他の生地を縫合わせて二重構造としてポケットＡ６及びポケットＢ７が形成されている。これらのポケットは小型の貴重品として鍵類等を収納するのに適している。一方、上記帯枕部５の内部については図示しないながらも帯枕部５の内部内側にはクッション材が縫着されており、財布等の貴重品を収納した場合であってもふっくらした枕形状が保持されている。続いてまた、図４の本考案に係る帯揚げ袋部の背面図においては、帯枕部５の背面側に位置合わせ面ファスナー１３が縫着されている。
【００１８】
更にまた、図５は本考案に係るお太鼓の正面図であり、図６は本考案に係るお太鼓を切開いて内部を示した切開断面図である。図５のように本考案に係るお太鼓３は水平方向に開口を有した略筒状であると共に伝統的な着物の形態に適合して垂れ９が施されている。それからまた、図６に示すようにお太鼓部３の内部には位置合わせ面ファスナー１４が縫着されている。ここで、位置合わせ面ファスナー１４は前記帯枕部５に縫着された位置合わせ面ファスナー１３と係着することによって、後述するところのお太鼓部３内に収備された帯枕部５の位置ズレを防止する働きがあり、恰好の良い帯姿が保持できるものとなる。
【００１９】
続いて更に、図７は本考案に係る三部式帯を取着した際の形態例の全体背面図（帯枕部の左側については切開して図示）である。ここで、図７は和服姿で背面に本考案に係る三部式帯１を取着した際の図である。図７に基づき本考案に係る三部式帯１の着付けについて説明するものとする。先ず、着物１１を羽織った後に身体の胴部の適宜高さ位置に巻帯部１２を巻回し両端部に縫着された面ファスナーによって強めに締め付け固定するものとする。続いて、帯枕部５が帯揚げ部４の長手方向中央部に縫着されている帯揚げ袋部２の帯揚げ部４の一方端から略筒状に縫着されて形成されているお太鼓部３に挿通し帯枕部５がお太鼓部３に隠れる位置で収備するものとする。この際、前述のように帯枕部に縫着されている位置合わせ面ファスナーとお太鼓部に縫着されている位置合わせ面ファスナーを係着させるようにする。一方、帯締め１０についてもお太鼓部３に挿通しておくものとする。更に続いて、この状態のままで身体の背面側にお太鼓部３を当接したままに、帯締め１０を腹部側にたぐり寄せて巻帯部１２の略中央位置に結びつけるものとする。更にまた、帯揚げ部４の両端も腹部側にたぐり寄せて巻帯部１２の上方位置で結びつけ、その結び部については巻帯部１２の内側に隠し入れるものとする。
【図面の簡単な説明】
【００２０】
【図１】本考案に係る巻帯部の平面図。
【図２】本考案に係る巻帯部の正面図。
【図３】本考案に係る帯揚げ袋部の正面図。
【図４】本考案に係る帯揚げ袋部の背面図。
【図５】本考案に係るお太鼓部の正面図。
【図６】本考案に係るお太鼓部の部分断面図。
【図７】本考案に係る三部式帯を取着した際の形態例の全体背面図。
【符号の説明】
【００２１】
１    本考案に係る三部式帯
２    帯揚げ袋部
３    お太鼓部
４    帯揚げ部
５    帯枕部
６    ポケットＡ
７    ポケットＢ
８    ファスナー
９    垂れ
１０  帯締め
１１  着物
１２  巻帯部
１３、１４  位置合わせ面ファスナー
１５、１６  面ファスナー
【図１】
0003190680.tif 000003
【図２】
0003190680.tif 000004
【図３】
0003190680.tif 000005
【図４】
0003190680.tif 000006
【図５】
0003190680.tif 000007
【図６】
0003190680.tif 000008
【図７】
0003190680.tif 000009